(57)【特許請求の範囲】
【請求項１】
直交周波数分割多重（ＯＦＤＭ）信号を送信するＯＦＤＭ送信装置において、
ＯＦＤＭにより伝送される各チャネルに対して割り当てられたチャネル帯域幅が、当該ＯＦＤＭ送信装置において予め設定されたシステム帯域幅をより広く包含する場合に、上記システム帯域の両端部にヌルサブキャリアを割り当てる代わりにデータサブキャリア又はパイロットサブキャリアを割り当てる手段を備えること
を特徴とするＯＦＤＭ送信装置。
【請求項２】
直交周波数分割多重（ＯＦＤＭ）信号を送信するＯＦＤＭ送信方法において、
ＯＦＤＭにより伝送される各チャネルに対して割り当てられたチャネル帯域幅が、当該ＯＦＤＭ送信装置において予め設定されたシステム帯域幅をより広く包含する場合に、上記システム帯域の両端部にヌルサブキャリアを割り当てる代わりにデータサブキャリア又はパイロットサブキャリアを割り当てること
を特徴とするＯＦＤＭ送信方法。
【発明の詳細な説明】
【技術分野】
【０００１】
直交周波数分割多重（ＯＦＤＭ）を用いたデジタル移動体通信に使用するＯＦＤＭ送信装置及び方法に関する。
【背景技術】
【０００２】
近年において直交周波数分割多重(ＯＦＤＭ：Orthogonal Frequency Division Multiplexing)方式を用いたデジタル移動体通信が実用化されている（例えば、特許文献１参照。）。このＯＦＤＭ方式は、マルチパス伝送路に対する耐性が強いことや周波数利用効率が高いこと等の様々な利点を有する通信方式である。OFDM方式では互いに直交するように並べられた多数のサブキャリアにデータがマッピングされ、そのデータ群を逆フーリエ変換することで時系列信号が導出され、無線送信用の送信シンボルが作成される。受信側では、そのようなシンボルをフーリエ変換することで送信されたデータ群が導出され、各サブキャリアに関連付けられた個々のデータを復元することで送信データが再現される。
【０００３】
一般的なＯＦＤＭ送信装置では、図９に示すように、システム帯域には多数のサブキャリアが含まれる。伝送されるデータは各サブキャリアにマッピングされる。パイロットサブキャリアは、周波数オフセット検出、時間同期ずれ検出のためにデータサブキャリアの中に挿入される。また帯域外への不要信号の漏洩を防ぐために、帯域の両端にデータ転送を行わないゼロシンボル（これはゼロの信号値を有する）としてのヌルサブキャリアを割り当てている。ちなみに、中心周波数ｆ0に対応するこのヌルサブキャリアは、ＤＣサブキャリアにおいても割り当てられる。
【先行技術文献】
【特許文献】
【０００４】
【特許文献１】特開２００９−２２５１１１号公報
【発明の概要】
【発明が解決しようとする課題】
【０００５】
ところで、上述した従来のＯＦＤＭ方式では、ＯＦＤＭにより伝送される各チャネルに対して割り当てられるチャネル帯域幅が、当該ＯＦＤＭ送信装置において予め設定されたシステム帯域幅と同等であることを前提としている。通常は、ＯＦＤＭにより伝送される各チャネルに対して割り当てられたチャネル帯域幅は、５ＭＨｚである場合が多く、ＯＦＤＭ送信装置において予め設定されたシステム帯域幅も、これと同等となるように５ＭＨｚとなるように設定されている。
【０００６】
但し、特に近年において、テレビジョン放送がアナログ放送からデジタル放送に切り替わり、空き周波数帯域が増加することも考えられる。その結果、この空き周波数をより有効に活用することが検討されており、特にＯＦＤＭ通信にこの空き周波数が使える可能性も出てくる。その結果、ＯＦＤＭにより伝送される各チャネルに対して割り当てられるチャネル帯域幅は、図１０に示すように、今までの５ＭＨｚではなく、６ＭＨｚも割り当てられる場合も出てくる。その結果、チャネル帯域幅が、当初から予め設定されているシステム帯域幅を含むようにしつつ、しかも広範に設定されてしまうこととなる。
【０００７】
従来のＯＦＤＭ送信装置におけるシステム帯域幅では、あくまで帯域の両端部にヌルサブキャリアを割り当てていることを前提としている。このため、図１０に示すように、チャネル帯域幅が広く設定されて余裕があり、帯域外への不要信号の漏洩が生じにくくなっているにも関らず、従来のシステム帯域同様に帯域の両端にヌルサブキャリアを割り当てている。このため、かかるヌルサブキャリアを設けている分において、各チャネルに対して割り当てられるチャネル帯域幅を有効に活用できないことになる。
【０００８】
例えば、図１１に示すように、システム帯域において、各サブキャリアの番号を順に−Ｘ−Ｙ−１〜Ｘ＋Ｙとする。ここでサブキャリアの総数は、２Ｘ＋２Ｙ＋２とする。ここでＸは、自然数であり、帯域の両端に割り当てられるヌルサブキャリア（ガードサブキャリア）の数を２Ｙとする。その結果、データサブキャリア又はパイロットサブキャリアが挿入可能なキャリア数は、２Ｘ＋２Ｙ＋２−２Ｙ−１＝２Ｘ＋１となる。ここで最後に１を引いたのは、ＤＣサブキャリアの分である。
【０００９】
また、データサブキャリア又はパイロットサブキャリアが挿入可能なキャリア数の、システム帯域幅全体に対する割合は、以下の式（１）によって表される。
【００１０】
（２Ｘ＋１）／（２Ｘ＋２Ｙ＋２）×１００・・・・・・・・・（１）
【００１１】
この（１）式に示すようにガードサブキャリアが存在する分において、データサブキャリア又はパイロットサブキャリアが挿入可能なキャリア数の、システム帯域幅全体に対する割合が大きく低下してしまうことが分かる。
【００１２】
例えば、ＩＥＥＥ８０２．１１システムにおいて、システム帯域においてサブキャリアの総数は、６４（＝２Ｘ＋２Ｙ＋２）とする。データサブキャリア又はパイロットサブキャリアが挿入可能なキャリア数は、５２（＝２Ｘ＋１）とする。このとき、ＤＣサブキャリアは１、残りのサブキャリア数は１１（＝２Ｙ）である。かかる場合において、（１）式により算出される割合は、５２／６４×１００≒８１％となる。
【００１３】
ガードバンド領域として、システム帯域全体の１７％を割り当てる場合を考える。このとき、ＩＥＥＥ８０２．１１システムでは、システム帯域幅５ＭＨｚに対して４．１５ＭＨｚが、システム帯域幅１０ＭＨｚに対して８．３ＭＨｚが、またシステム帯域幅２０ＭＨｚに対して１６．６ＭＨｚが、それぞれ割り当てられることになる。
【００１４】
また、この（１）式に加えて、更にチャネル帯域幅が広くなれば、ＯＦＤＭにより伝送される各チャネルに対して割り当てられるチャネル帯域幅が広くなれば、その分において（１）式の分母が大きくなる。その結果、係る割り当てられたチャネル帯域幅の、データサブキャリア又はパイロットサブキャリアを挿入可能なキャリア数の割合がさらに低下してしまうことになる。
【００１５】
このため、従来のシステム帯域幅よりも、新たに与えられたチャネル帯域幅がより広範になった場合に、かかるデータサブキャリア等を挿入可能なキャリア数の割合を増加させることにより、チャネル帯域をより有効に活用する必要があった。
【００１６】
また、これに加えて、従来のシステム帯域幅よりも、新たに与えられたチャネル帯域幅がより広範になった場合に、従来のＯＦＤＭの各サブキャリアのマッピング方法を大幅モデルチェンジすることとなれば、これに伴う改変コスト、バージョンアップのためのコストが増大し、また改変に伴う作業労力の負担も増大してしまうという問題点もあった。
【００１７】
そこで本発明は、上述した問題点に鑑みて案出されたものであり、その目的とするところは、システム帯域幅よりも、新たに与えられたチャネル帯域幅がより広範になった場合においても、より安価で低労力でデータサブキャリア等を挿入可能なキャリア数の割合を増加させ、チャネル帯域をより有効に活用することが可能なＯＦＤＭ送信装置及び方法を提供することにある。
【課題を解決するための手段】
【００１８】
本発明に係るＯＦＤＭ送信装置は、上述した課題を解決するために、直交周波数分割多重（ＯＦＤＭ）信号を送信するＯＦＤＭ送信装置において、ＯＦＤＭにより伝送される各チャネルに対して割り当てられたチャネル帯域幅が、当該ＯＦＤＭ送信装置において予め設定されたシステム帯域幅をより広く包含する場合に、上記システム帯域の両端部にヌルサブキャリアを割り当てる代わりにデータサブキャリア又はパイロットサブキャリアを割り当てる手段を備えることを特徴とする。
【００１９】
本発明に係るＯＦＤＭ送信装置は、上述した課題を解決するために、直交周波数分割多重（ＯＦＤＭ）信号を送信するＯＦＤＭ送信方法において、ＯＦＤＭにより伝送される各チャネルに対して割り当てられたチャネル帯域幅が、当該ＯＦＤＭ送信装置において予め設定されたシステム帯域幅をより広く包含する場合に、上記システム帯域の両端部にヌルサブキャリアを割り当てる代わりにデータサブキャリア又はパイロットサブキャリアを割り当てることを特徴とする。
【発明の効果】
【００２０】
上述した構成からなる本発明によれば、システム帯域の端縁にデータサブキャリア又はパイロットサブキャリアを割り当てた場合、かかるキャリアの裾がシステム帯域から漏洩することになるが、仮にこのシステム帯域からキャリアが漏洩しても、割り当てられたチャネル帯域幅は、かかるシステム帯域よりも広帯域に亘るものであることから、チャネル帯域外への不要信号の漏洩が生じるのを防止することが可能となる。
【００２１】
即ち、本発明によれば、システム帯域幅よりも、新たに与えられたチャネル帯域幅がより広範になった場合においても、より安価で低労力でデータサブキャリア等を挿入可能なキャリア数の割合を増加させ、チャネル帯域をより有効に活用することが可能なＯＦＤＭ送信装置を提供することが可能となる。
【図面の簡単な説明】
【００２２】
【図１】本発明を適用したＯＦＤＭ送信装置の構成を示すブロック構成図である。
【図２】本発明を適用したＯＦＤＭ送信装置のＩＦＦＴ部における処理を示す図である。
【図３】本発明を適用したＯＦＤＭ受信装置の構成を示すブロック構成図である。
【図４】本発明を適用したＯＦＤＭ送信装置により、実際にデータサブキャリア等を割り当てる方法について説明するための図である。
【図５】本発明を適用したＯＦＤＭ送信装置の効果について説明するための図である。
【図６】システム帯域において、各サブキャリアの番号を順に−Ｘ−１〜Ｘとする場合を示す図である。
【図７】本発明において割り当てたサブキャリアの状態について説明するための図である。
【図８】ＴＶＷＳにおけるＩＥＥＥ８０２．１１用の新たなデータサブキャリア等の例を示す図である。
【図９】一般的なＯＦＤＭ送信装置におけるシステム帯域のサブキャリアの配列状態を示す図である。
【図１０】チャネル帯域幅がシステム帯域幅よりも広めに設定されている例を示す図である。
【図１１】従来技術の問題点について説明するための図である。
【発明を実施するための形態】
【００２３】
以下、本発明の実施の形態について詳細に説明する。
【００２４】
図１は、本発明を適用したＯＦＤＭ（Orthogonal Frequency Division Multiplexing)送信装置１の構成を示すブロック図である。
【００２５】
このＯＦＤＭ送信装置１は、サブキャリア配列部１１と、パイロット挿入部１２と、シリアル／パラレル（Ｓ／Ｐ）部１３と、ＩＦＦＴ部１４と、パラレル／シリアル（Ｐ／Ｓ）部１５と、ガードインターバル（ＧＩ）挿入部１６と、Ｄ／Ａ変換部１７と、ＬＰＦ部１８と、周波数変換部１９と、無線送信部２０と、アンテナ２１とが順次接続されて構成されている。
【００２６】
サブキャリア配列部１１は、入力された送信信号を配列して、各系列の並列複素信号を生成する。具体的には、サブキャリア配列部１１は、座標変換に用いたＩ−Ｑ平面上の対称軸に対して対称な座標位置関係である、座標変換前のシンボルと、座標変換後のシンボルとが、所定の通信帯域の中心周波数に対して周波数軸上で対称なサブキャリアに各々配置されるように、各系列の並列複素信号を生成する。そして、サブキャリア配列部１１は、生成した各系列の並列複素信号をパイロット挿入部へと出力する。
【００２７】
パイロット挿入部１２は、サブキャリア配列部１１から送信されてきた並列複素信号からなる送信信号に対して、時間多重により伝送路推定用既知信号を挿入する。そして、パイロット挿入部１２は、伝送路推定用既知信号を挿入した各系列の送信信号をＳ／Ｐ部へ出力する。
【００２８】
Ｓ／Ｐ部１３は、図示しない変調器でＱＰＳＫまたは１６ＱＡＭ等の変調方式にて１次変調されて生成されたＩ成分信号とＱ成分信号の複素ベースバンド信号を、ｍ（ｍは２以上の自然数）系列の並列信号に変換する。そしてＳ／Ｐ部１３は、ｍ系列の送信信号をＩＦＦＴ部１４へ出力する。
【００２９】
ＩＦＦＴ部１４は、Ｓ／Ｐ部１３から出力される並列複素信号に対して、ＩＦＦＴ演算を行う。そして、ＩＦＦＴ部１４は、ＩＦＦＴ演算後の送信信号をＰ／Ｓ部１５へ出力する。図２は、かかるＩＦＦＴ部１４における処理を図示したものである。図２(a)では、Ｙ＝０とし、サブキャリア番号が＃０〜＃Ｘ、並びに＃−Ｘ−１〜＃−１からなるデータサブキャリア、又はパイロットサブキャリアをＩＦＦＴ演算することにより、これを時間軸の信号とする例を示している。このとき、ＤＣサブキャリアは、サブキャリア番号＃０としたものである。図２(b)では、Ｙ＝０．５とし、サブキャリア番号が＃０〜＃Ｘ、並びに＃−Ｘ−１〜＃−１からなるデータサブキャリア、又はパイロットサブキャリアをＩＦＦＴ演算することにより、これを時間軸の信号とする例を示している。このとき、ＤＣサブキャリアは、サブキャリア番号＃０としたものであり、また中央においてサブキャリア番号＃−Ｘ−１について、ヌルサブキャリアとしている。
【００３０】
Ｐ／Ｓ部１５は、ＩＦＦＴ部１４から出力されるマルチキャリア信号を時系列信号に変換してＧＩ挿入部１６へ出力する。
【００３１】
ＧＩ挿入部１６は、Ｐ／Ｓ部１５から出力される時系列信号にＧＩを挿入してＤ／Ａ変換部１７へ出力する。
【００３２】
ＬＰＦ１８は、Ｄ／Ａ部１０９から出力されるアナログ信号から、Ｄ／Ａ変換に伴って生じた折り返し成分を除去する。そして、ＬＰＦ１８は、折り返し成分を除去したアナログ信号を周波数変換部１９へ出力する。
【００３３】
周波数変換部１９は、ＬＰＦ１８から出力されるアナログ信号をベースバンド周波数から中間周波数にアップコンバートして無線送信部２０へ出力する。
【００３４】
無線送信部２０は、周波数変換部１９から出力される中間周波数のアナログ信号を中間周波数周波数から無線周波数にアップコンバートするとともに増幅してアンテナ２１へ出力する。
【００３５】
アンテナ２１は、無線送信部２０から出力される無線周波数のアナログ信号をＯＦＤＭ信号として送信する。
【００３６】
図３は、本発明を適用したＯＦＤＭ受信装置２の構成を示すブロック図である。このＯＦＤＭ受信装置２は、アンテナ３１と、無線受信部３２と、直交検波部３３と、ＬＰＦ３４と、Ａ／Ｄ変換部３５と、ＧＩ除去部３６と、Ｓ／Ｐ部３７と、ＦＦＴ部３８と、Ｐ／Ｓ部３９と、サブキャリア変換部４０と、復号化処理部４１とが順次接続されて構成されている。
【００３７】
アンテナ３１は、上述したＯＦＤＭ送信装置３１から送信されてくるＯＦＤＭ信号を受信して無線受信部３２へ出力する。
【００３８】
無線受信部３２は、アンテナ３１から出力される受信信号を無線周波数からＩＦ周波数にダウンコンバートして直交検波部３３へ出力する。
【００３９】
直交検波部３３は、無線受信部３２から出力されるＩＦ周波数の受信信号をアナログ直交検波して、Ｉ成分、Ｑ成分をそれぞれＬＰＦ３４へ出力する。
【００４０】
ＬＰＦ３４は、直交検波部３３から出力されるＩ成分、Ｑ成分の低周波数帯のみを通過させることにより帯域制限することで得たベースバンド同相成分をＡ／Ｄ部３５へ出力する。
【００４１】
Ａ／Ｄ変換部３５は、ＬＰＦ３４から出力されたＩ成分、Ｑ成分をアナログ信号からデジタル信号に変換してＧＩ除去部３６へ出力する。
【００４２】
ＧＩ除去部３６は、ＧＩを除去してＳ／Ｐ部３７へ出力する。
【００４３】
Ｓ／Ｐ部３７は、ＧＩ除去部３６から出力されたＩ成分、Ｑ成分を、ＯＦＤＭシンボル単位で、Ｎ系列の並列信号に変換する。そして、Ｓ／Ｐ部３７は、変換したＮ系列の並列信号をＦＦＴ部３８へ出力する。
【００４４】
ＦＦＴ部３８は、Ｓ／Ｐ部３７から出力されるＮ系列の並列信号に対して、ＮポイントのＦＦＴ演算を行う。ＦＦＴ部３８は、ＦＦＴを行うことにより、Ｎ系列の並列信号を周波数領域から時間領域に変換する。そして、ＦＦＴ部３８は、ＦＦＴ演算後の複素数である並列信号をＰ／Ｓ部３９へ出力する。
【００４５】
Ｐ／Ｓ部３９は、ＦＦＴ部３８から出力される２ｍ系列の並列信号を直列信号に変換して受信信号として出力する。Ｐ／Ｓ部３９から出力される受信信号は１次変調されたＩ成分とＱ成分の複素ベースバンド信号である。
【００４６】
座標変換部４０は、座標変換する前の状態に戻すように再度座標変換する。そして、座標変換部４０は、座標変換した信号を復号化処理部４１へと出力する。
【００４７】
復号化処理部４１は、座標変換部４０から出力された信号について復号化処理を施す。
【００４８】
次に、上述した構成からなるＯＦＤＭ送信装置１により、実際にデータサブキャリア又はパイロットサブキャリアを割り当てる方法について説明をする。
【００４９】
例えば図４に示すように、本発明において、ＯＦＤＭにより伝送される各チャネルに対して割り当てられたチャネル帯域幅が、ＯＦＤＭ送信装置１において予め設定されたシステム帯域幅をより広く包含する場合について考えてみる。より具体的には、割り当てられるチャネル帯域幅が、５ＭＨｚではなく、６ＭＨｚも割り当てられる場合について考えてみる。この図４の例では、チャネル帯域内であって、システム帯域の外縁において、何らキャリアが割り当てられることが無い、非利用帯域が形成されることになる。
【００５０】
かかる場合において、本発明では、システム帯域の両端部にヌルサブキャリアを割り当てる代わりにデータサブキャリア又はパイロットサブキャリアを割り当てる。システム帯域の両端部とは、図４に示すように、システム帯域内の帯域最端に近い周波数領域であり、ある程度の帯域幅が設けられていてもよい。即ち、このシステム帯域の両端部は、従来において帯域外への不要信号の漏洩を防ぐために、あえてヌルサブキャリアが設けられた周波数領域であってもよい。なお、この図４においては、システム帯域最端のキャリアをデータサブキャリアとしているが、パイロットサブキャリアとしてもよいことは勿論である。
【００５１】
実際に、このような周波数軸においてシステム帯域の両端部にデータサブキャリア又はパイロットサブキャリアを割り当てる処理は、例えば上述したサブキャリア配列部１１、パイロット挿入部１２等の処理を介して実行していくことになる。また、ＯＦＤＭ受信装置２は、このような構成からなるＯＤＦＭ信号を受信し、信号を読み取る作業を行っていく。
【００５２】
本発明によれば、図５に示すように仮にシステム帯域の端縁にデータサブキャリア又はパイロットサブキャリアを割り当てた場合、かかるキャリアの裾がシステム帯域から漏洩することになる。仮にこのシステム帯域からキャリアが漏洩しても、割り当てられたチャネル帯域幅は、かかるシステム帯域よりも広帯域に亘るものであることから、チャネル帯域外への不要信号の漏洩が生じるのを防止することが可能となる。
【００５３】
図６は、システム帯域において、各サブキャリアの番号を順に−Ｘ−１〜Ｘとする場合を示している。ここでサブキャリアの総数は、２Ｘ＋２となる。ここでＸは、自然数である。ＤＣサブキャリアの総数は１であり、ヌルサブキャリアとして割り当てられる。このため、データサブキャリア又はパイロットサブキャリアとして挿入可能なキャリア数は、２Ｘ＋１である。ここで最後に１を引いたのは、ＤＣサブキャリアの分である。本発明例では、システム帯域内において、従来割り当てられていたガードサブキャリアを０としている。
【００５４】
その結果、データサブキャリア又はパイロットサブキャリアが挿入可能なキャリア数の、システム帯域幅全体に対する割合は、以下の式（Ａ）によって表される。
【００５５】
（２Ｘ＋１）／（２Ｘ＋２）×１００・・・・・・・・・（Ａ）
【００５６】
また、システム帯域幅をＳＢＷ、チャネル帯域幅をＣＢＷとしたとき、データサブキャリア又はパイロットサブキャリアが挿入可能なキャリア数のチャネル帯域幅全体に対する割合は、以下の式（Ｂ）によって表される。
【００５７】
（２Ｘ＋１）／（２Ｘ＋２）×（ＳＢＷ／ＣＢＷ）×１００・・・・・・・・・（Ｂ）
【００５８】
本発明では、システム帯域幅全体に亘ってデータサブキャリア又はパイロットサブキャリアを挿入することが可能となる。仮にシステム帯域幅が５ＭＨｚ、１０ＭＨｚ、２０ＭＨｚであるとき、チャネル帯域幅が６ＭＨｚ、１２ＭＨｚ、２４ＭＨｚがそれぞれ割り当てられたものとする。このとき本発明では、システム帯域の外縁において、何らキャリアが割り当てられることが無い、非利用帯域が形成されることになるが、この非利用領域のチャネル帯域全体に対する割合は、それぞれ１６．６％となる。即ち、この非利用領域は、システム帯域外であって、何らキャリアを割り当てることができない帯域であることから、いわゆるガードバンド領域として考えることが可能となる。
【００５９】
ここでＩＥＥＥ８０２．１１において、４８のデータサブキャリアを使用したい場合について考えてみる。もし、システム帯域における全てのサブキャリアを使用することができるとき、５９のサブキャリアをデータサブキャリアとして割り当てることが可能となる。これは、約２３％のデータ出力の増加を意味するものである。ここで、（Ａ）式、（Ｂ）式におけるチャネル帯域幅全体のキャリア数を６４（＝２Ｘ＋２）とする。従来におけるＩＥＥＥ８０２．１１システムにおいて、５ＭＨｚのシステム帯域において４８のサブキャリアを割り当てる際には、４８／６４＝７５％となる。これに対して、本発明によれば、ＩＥＥＥ８０２．１１において５ＭＨｚのシステム帯域幅に対して、６ＭＨｚのチャネル帯域幅が割り当てられた場合を考える。このとき、システム帯域において、（Ａ）式により５９／６４×１００＝９２．１９％においてデータサブキャリア又はパイロットサブキャリアを割り当てることが可能となる。また、チャネル帯域全体に対する割合としては、（Ｂ）式により５９／６４×５／６×１００＝７６．８２％においてデータサブキャリア又はパイロットサブキャリアを割り当てることが可能となる。
【００６０】
かかるケースにおいて、２つの付加的なパイロットサブキャリアは、通信品質を向上させる観点から必要となることから、データサブキャリアに割り当て可能なキャリア数は５７となる。データサブキャリアを割り当てることが可能となるシステム帯域全体に対する割合は、（Ａ）式に基づき、５７／６４×１００＝８９．０６％である。また、データサブキャリアを割り当てることが可能となるチャネル帯域全体に対する割合は、（Ｂ）式に基づき、５７／６４×５／６×１００＝７４．２２％である。
【００６１】
即ち、本発明によれば、従来のＩＥＥＥ８０２．１１システムにおいてガードサブキャリアとして使用されていた領域を、他の目的やパイロット信号に用いることが可能となる。また、ＯＦＤＭ受信装置２側において、特にシステムの改変を施すことなく、余剰のキャリア領域をシステム全体の出力に対するピーク比率（ＰＡＰＲ：Peak to Average Power Ratio）を減少させる上で使用することが可能となる。このＰＡＰＲは、ＯＦＤＭ通信システムにおける重要な問題点ではあるが、かかる余剰キャリアをこのＰＡＰＲ減少のために好適に使用することが可能となる。
【００６２】
図７(a)は、ＦＦＴサイズが６４とした場合におけるサブキャリアの構成例を示す従来モデルである。この図７(a)に示す従来モデルでは、データサブキャリア、並びにパイロットサブキャリアを、システム帯域全般に割り当てているが、例外として、ＤＣサブキャリアにはヌルサブキャリアを割り当てている。サブキャリアの番号は、＃−２６〜＃２６とされている。また、各サブキャリアのうち、データサブキャリアは、ｄ0、ｄ1、ｄ2、・・・、ｄ46、ｄ47と計４７個に亘って割り当てられている。また、各サブキャリアのうち、パイロットサブキャリアは、Ｐ-21、Ｐ-7、Ｐ7、Ｐ21の４個が割り当てられている。
【００６３】
図７(b)は、本発明において割り当てたサブキャリアの状態を示している。新たに２つのパイロット信号として、Ｐ-27、Ｐ28を割り当てる場合について考えてみる。このとき、パイロットサブキャリアの総数は、６となり、従来の４個と比べて増加している。このため、ヌルサブキャリアは、ＤＣサブキャリアのみとなる。残りのサブキャリアは、データサブキャリアのために使用することが可能となる。このため、図７(b)に示す例では、データサブキャリアについてｄ0〜ｄ56に至るまで、５７個に亘り割り当てることが可能となる。
【００６４】
ちなみに、図７(b)は、あくまで一つの例であって、上述したサブキャリア構成に限定されるものではなく、他のいかなるサブキャリアの構成に置き換えるようにしてもよい。
【００６５】
上述したキャリア構成の利点としては、サブキャリアの番号＃−２６〜＃２６で構成される、ＩＥＥＥ８０２．１１における基本デザインを不変とすることが可能となる。また図７(b)に示すように、＃−３２〜＃３１に至るまでの新たなサブキャリアデザインを提供することも可能となる。加えて、旧デザインにおける＃−２６〜＃２６についても、同様にサブキャリアにおいて情報を含めることが可能となる。
【００６６】
図８は、ＴＶＷＳ（TV White Spaces）におけるＩＥＥＥ８０２．１１用の新たなデータサブキャリア、パイロットサブキャリアの例を示している。この図８の例では、６つのパイロットサブキャリア（Ｐ-28、Ｐ-17、Ｐ-6、Ｐ5、Ｐ16、Ｐ27）を使用する。即ち、パイロットキャリア数が６が意味するところは、従来のパイロットキャリア数４と比較して２個多いことである。このためデータサブキャリアが５６個であり、ＤＣサブキャリアは１個である。サブキャリア全体において占めるパイロットサブキャリアの割合を増加させることができ、通信パフォーマンスの向上を図ることが可能となる。
【符号の説明】
【００６７】
１  ＯＦＤＭ送信装置
２  ＯＦＤＭ受信装置
１１  サブキャリア配列部
１２  パイロット挿入部
１３  シリアル／パラレル（Ｓ／Ｐ）部
１４  ＩＦＦＴ部
１５  パラレル／シリアル（Ｐ／Ｓ）部
１６  ＧＩ挿入部
１７  Ｄ／Ａ変換部
１８  ＬＰＦ部
１９  周波数変換部
２０  無線送信部
２１、３１  アンテナ
３２  無線受信部
３３  直交検波部
３４  ＬＰＦ
３５  Ａ／Ｄ変換部
３６  ＧＩ除去部
３７  Ｓ／Ｐ部
３８  ＦＦＴ部
３９  Ｐ／Ｓ部
４０  サブキャリア変換部
４１  復号化処理部
【図１】
0005633843.tif 000002
【図２】
0005633843.tif 000003
【図３】
0005633843.tif 000004
【図４】
0005633843.tif 000005
【図５】
0005633843.tif 000006
【図６】
0005633843.tif 000007
【図７】
0005633843.tif 000008
【図８】
0005633843.tif 000009
【図９】
0005633843.tif 000010
【図１０】
0005633843.tif 000011
【図１１】
0005633843.tif 000012